(57)【要約】【課題】  ユーザの転送ミスを未然に防ぐことができる移動端末及び通信システムを提供する。【解決手段】  本発明に係る通信システム１０においては、所定の転送条件が満たされると、移動端末がストレージ装置からの動画データの転送を決定する。そのため、転送に際して、ユーザに判断や特定の操作を求めることなく、すなわち、ユーザに特に意識させることなく、ストレージ装置２０から移動端末３０への動画データの転送がおこなわれる。そのため、この通信システム１０によれば、ユーザの不注意により動画データを移動端末３０に転送し忘れる事態を未然に防ぐことができる。【選択図】  図１
2007193777.tif 000002
【特許請求の範囲】
【請求項１】
動画データが記憶されたストレージ装置から移動端末に、無線通信によって前記動画データが転送される通信システムであって、
前記移動端末が、
所定の転送条件が満たされているか否かを判定する判定手段と、
前記判定手段により、前記転送条件が満たされていると判定されたときに、前記ストレージ装置からの前記動画データの転送を決定する転送決定手段と、
前記転送決定手段により、前記動画データの転送が決定されたときに、前記ストレージ装置に対して前記動画データの転送要求を送信する要求手段とを備える、通信システム。
【請求項２】
前記転送条件が前記移動端末が充電中であることである、請求項１に記載の通信システム。
【請求項３】
前記転送条件が所定の時刻になったことである、請求項１に記載の通信システム。
【請求項４】
前記転送条件が所定の時間が経過したことである、請求項１に記載の通信システム。
【請求項５】
前記転送条件が、前記ストレージ装置と前記移動端末との間の通信が確立したことである、請求項１に記載の通信システム。
【請求項６】
前記転送条件が、前記移動端末が前記ストレージ装置から所定の情報を受信したことである、請求項１に記載の通信システム。
【請求項７】
前記ストレージ装置には、複数の前記動画データが識別可能に記憶されており、
前記移動端末は、
前記ストレージ装置に記憶された前記複数の動画データの中から、前記ストレージ装置から転送される前記動画データを、所定の選定条件に基づいて選定する転送データ選定手段をさらに備え、
前記要求手段は、前記転送決定手段により前記動画データの転送が決定されたときに、前記転送データ選定手段によって選定された前記動画データの転送要求を送信する、請求項１〜６のいずれか一項に記載の通信システム。
【請求項８】
前記ストレージ装置から転送される前記動画データを記憶する前記移動端末の格納部から、前記動画データを削除する削除手段をさらに備える、請求項１〜７のいずれか一項に記載の通信システム。
【請求項９】
前記格納部には、複数の前記動画データが識別可能に記憶されており、
前記移動端末は、
前記格納部に記憶された前記複数の動画データの中から、削除する前記動画データを、所定の選定条件に基づいて選定する削除データ選定手段をさらに備え、
前記削除手段は、前記削除データ選定手段によって選定された前記動画データを削除する、請求項８に記載の通信システム。
【請求項１０】
動画データが記憶されたストレージ装置から移動端末に、無線通信によって前記動画データが転送される通信システムに適用される移動端末であって、
所定の転送条件が満たされているか否かを判定する判定手段と、
前記判定手段により、前記転送条件が満たされていると判定されたときに、前記ストレージ装置からの前記動画データの転送を決定する転送決定手段と、
前記転送決定手段により、前記動画データの転送が決定されたときに、前記ストレージ装置に対して前記動画データの転送要求を送信する要求手段とを備える、移動端末。
【請求項１１】
デジタルコンテンツが記憶されたストレージ装置から移動端末に、無線通信によって前記デジタルコンテンツが転送される通信システムであって、
前記移動端末が、
所定の転送条件が満たされているか否かを判定する判定手段と、
前記判定手段により、前記転送条件が満たされていると判定されたときに、前記ストレージ装置からの前記デジタルコンテンツの転送を決定する転送決定手段と、
前記転送決定手段により、前記デジタルコンテンツの転送が決定されたときに、前記ストレージ装置に対して前記デジタルコンテンツの転送要求を送信する要求手段とを備える、通信システム。
【発明の詳細な説明】
【技術分野】
【０００１】
本発明は、ストレージ装置に記憶されたデータが転送されるべき移動端末及び通信システムに関するものである。
【背景技術】
【０００２】
近年、例えばＨＤＲ（ハードディスクビデオレコーダ）などの動画データを記憶するストレージ装置が、家庭用にも販売されるようになった。そして、ユーザは、このようなストレージ装置に記憶された動画を自己の移動端末（例えば、携帯電話機など）に転送させることで、その動画を自己の移動端末を用いて外出先においても視聴することも可能となっている。
【０００３】
ここで、ストレージ装置の動画データを移動端末に転送させる方法としては、フラッシュメモリ等の記憶メディアを用いる方法と、ストレージ装置と移動端末との間の通信によっておこなう方法とが考えられる。
【０００４】
そして、上記２つの方法を比較すると、記憶メディアは、持ち運びに適したサイズや重量、消費電力から記憶容量が大幅に制限されて、テキストデータや音楽データに比べてデータ容量が大きい動画データを数多く記憶することができないため、記憶メディアを用いた方法よりも通信により転送をおこなう方法のほうが好適である。
【特許文献１】特開２００５−１１１４８号公報
【特許文献２】国際公開第０１／０７４０４６号パンフレット
【発明の開示】
【発明が解決しようとする課題】
【０００５】
ただし、通信により転送をおこなう方法であっても、転送に際してユーザに判断や特定の操作を求める場合には、ユーザの不注意により、移動端末に記憶させたいデータを転送し忘れる事態が起こりやすい。そこで、このような転送ミスを未然に防ぐことができる技術が待ち望まれている。
【０００６】
そこで、本発明は、上述の課題を解決するためになされたもので、ユーザの転送ミスを未然に防ぐことができる移動端末及び通信システムを提供することを目的とする。
【課題を解決するための手段】
【０００７】
本発明に係る通信システムは、動画データが記憶されたストレージ装置から移動端末に、無線通信によって動画データが転送される通信システムであって、移動端末が、所定の転送条件が満たされているか否かを判定する判定手段と、判定手段により、転送条件が満たされていると判定されたときに、ストレージ装置からの動画データの転送を決定する転送決定手段と、転送決定手段により、動画データの転送が決定されたときに、ストレージ装置に対して動画データの転送要求を送信する要求手段とを備えることを特徴とする。
【０００８】
この通信システムにおいては、所定の転送条件が満たされると、移動端末がストレージ装置からの動画データの転送を決定する。そのため、転送に際して、ユーザに判断や特定の操作を求めることなく、すなわち、ユーザに特に意識させることなく、ストレージ装置から移動端末への動画データの転送がおこなわれる。そのため、この通信システムによれば、ユーザの不注意により動画データを移動端末に転送し忘れる事態を未然に防ぐことができる。
【０００９】
なお、転送条件としては、移動端末が充電中であること、所定の時刻になったこと、所定の時間が経過したこと、ストレージ装置と移動端末との間の通信が確立したこと、移動端末がストレージ装置から所定の情報を受信したこと等が好ましい。
【００１０】
また、ストレージ装置には、複数の動画データが識別可能に記憶されており、移動端末は、ストレージ装置に記憶された複数の動画データの中から、ストレージ装置から転送される動画データを、所定の選定条件に基づいて選定する転送データ選定手段をさらに備え、要求手段は、転送決定手段により動画データの転送が決定されたときに、転送データ選定手段によって選定された動画データの転送要求を送信するようにしてもよい。この場合には、ユーザに判断や特定の操作を求めることなく、選定条件に合致した動画データだけを移動端末に転送させることができる。
【００１１】
また、ストレージ装置から転送される動画データを記憶する移動端末の格納部から、動画データを削除する削除手段をさらに備えるようにしてもよい。
【００１２】
さらに、格納部には、複数の動画データが識別可能に記憶されており、移動端末は、格納部に記憶された複数の動画データの中から、削除する動画データを、所定の選定条件に基づいて選定する削除データ選定手段をさらに備え、削除手段は、削除データ選定手段によって選定された動画データを削除することが好ましい。この場合には、ユーザに判断や特定の操作を求めることなく、選定条件に合致した動画データだけを格納部から削除することができる。
【００１３】
本発明に係る移動端末は、動画データが記憶されたストレージ装置から移動端末に、無線通信によって動画データが転送される通信システムに適用される移動端末であって、所定の転送条件が満たされているか否かを判定する判定手段と、判定手段により、転送条件が満たされていると判定されたときに、ストレージ装置からの動画データの転送を決定する転送決定手段と、転送決定手段により、動画データの転送が決定されたときに、ストレージ装置に対して動画データの転送要求を送信する要求手段とを備えることを特徴とする。
【００１４】
この移動端末においては、所定の転送条件が満たされると、ストレージ装置からの動画データの転送を決定する。そのため、ユーザに判断や特定の操作を求めることなく、すなわち、ユーザに特に意識させることなく、ストレージ装置から移動端末への動画データの転送がおこなわれる。そのため、この移動端末によれば、ユーザの不注意により、動画データを移動端末に転送し忘れる事態を未然に防ぐことができる。
【００１５】
本発明に係る通信システムは、デジタルコンテンツが記憶されたストレージ装置から移動端末に、無線通信によってデジタルコンテンツが転送される通信システムであって、移動端末が、所定の転送条件が満たされているか否かを判定する判定手段と、判定手段により、転送条件が満たされていると判定されたときに、ストレージ装置からのデジタルコンテンツの転送を決定する転送決定手段と、転送決定手段により、デジタルコンテンツの転送が決定されたときに、ストレージ装置に対してデジタルコンテンツの転送要求を送信する要求手段とを備えることを特徴とする。
【００１６】
この通信システムにおいては、所定の転送条件が満たされると、移動端末がストレージ装置からのデジタルコンテンツの転送を決定する。そのため、転送に際して、ユーザに判断や特定の操作を求めることなく、すなわち、ユーザに特に意識させることなく、ストレージ装置から移動端末へのデジタルコンテンツの転送がおこなわれる。そのため、この通信システムによれば、ユーザの不注意によりデジタルコンテンツを移動端末に転送し忘れる事態を未然に防ぐことができる。
【発明の効果】
【００１７】
本発明によれば、ユーザの転送ミスを未然に防ぐことができる移動端末及び通信システムが提供される。
【発明を実施するための最良の形態】
【００１８】
以下、添付図面を参照して本発明を実施するにあたり最良と思われる形態について詳細に説明する。なお、同一又は同等の要素については同一の符号を付し、説明が重複する場合にはその説明を省略する。
【００１９】
図１は、本発明の実施形態に係る通信システムを示した図である。この図１に示すように、本発明の実施形態に係る通信システム１０は、ストレージ装置２０と、移動端末３０とを備えている。この通信システム１０は、ストレージ装置２０に記憶されている動画データを、無線ＬＡＮによって移動端末３０に転送することができるように構成されている。
【００２０】
ストレージ装置２０は、ハードディスクを内蔵した大容量記録装置であり、無線ＬＡＮによる通信機能を有している。このストレージ装置２０は、物理的な構成要素として、主にＣＰＵ（中央処理装置）、メモリ、ハードディスク及び無線通信装置等を備え、機能的な構成要素として、通信部２２及び格納部２４を備えている。
【００２１】
そして、格納部２４には、動画データ（動画ファイル）のデータベース２４ａが格納されている。データベース２４ａには、図２に示すように、複数の動画データが識別可能な状態で記憶されている。ここで、図２は、データベース２４ａに記憶されている動画データを示したものであり、各動画データに付与された属性項目（すなわち、動画名、作成日時、カテゴリ、データ容量、転送指示の有無）により、識別や選出、分別、検索等が容易におこなえるようになっている。
【００２２】
通信部２２は、移動端末３０との間で各種情報の送受信をおこなう部分である。より具体的には、通信部２２は、例えば、格納部２４の動画データを移動端末３０に送信したり、移動端末３０から後述の転送要求を受信したりする。なお、通信部２２は、必要に応じて、以下に示すような情報を動画データに付加して移動端末３０に送信してもよい。
（１）ストレージ装置に格納されている全動画データのリスト
（２）転送日時
（３）ストレージ装置の識別情報（名称、ＩＤ番号、製造番号等）
（４）動画データの更新日（放送日、格納日等）
（５）動画データの概要に関する情報（メタデータ、ＥＰＧ等から取得）
（６）動画データの視聴状況（宅内で視聴したか否か、視聴を完了した箇所）
なお、上記動画データのリストには、
（１−１）各動画データが、移動端末に既に格納されているか否か
（１−２）リストの作成日時
（１−３）移動端末に転送されない動画データそれぞれの保存機器名（名称、製造番号、ＭＡＣアドレス）
（１−４）移動端末に転送されない動画データそれぞれの宅外から視聴するための接続情報（動画データ毎に割り当てられたアクセスＵＲＬ、ＩＰアドレス、クエリ等）
を含ませる態様も可能である。
【００２３】
移動端末３０は、無線ＬＡＮによる通信機能を有する携帯電話機であり、専用のクレードル５０に着脱可能となっている。この移動端末３０は、物理的な構成要素として、主にＣＰＵ（中央処理装置）、メモリ、マイクやスピーカなどの音声処理装置、無線通信装置、液晶パネル、プッシュボタン等を備え、機能的な構成要素として、判定部（判定手段）３２、転送決定部（転送決定手段）３４、転送データ選定部（転送データ選定手段）３６、要求部（要求手段）３８、受信部（受信手段）４０、削除データ選定部（削除データ選定手段）４２、削除部（削除手段）４４及び格納部４６を備えている。
【００２４】
そして、格納部４６には、ストレージ装置２０から転送された動画データのデータベース４６ａが格納されている。データベース４６ａには、図３に示すように、複数の動画データが識別可能な状態で記憶されている。ここで、図３は、データベース４６ａに記憶されている動画データを示したものであり、各動画データに付与された属性項目（すなわち、動画名、転送日時、作成日時、カテゴリ、データ容量、視聴中フラグ）により、識別や選出、分別、検索等が容易におこなえるようになっている。
【００２５】
判定部３２は、移動端末３０が充電中であるか否か、すなわち家庭用電源に接続されたクレードル５０にセットされているか否かを判定する部分である。ここで、判定部３２が判定する「移動端末３０が充電中であるか否か」が、本実施形態における転送条件となっている。なお、移動端末３０の充電状況の検出は、公知技術を用いておこなわれる。
【００２６】
転送決定部３４は、上記判定部３２により「移動端末３０が充電中である」と判定されたときに（すなわち、転送条件が満たされていると判定されたときに）、ストレージ装置２０からの動画データの転送を決定する部分である。
【００２７】
転送データ選定部３６は、ストレージ装置２０から移動端末３０に転送させる動画データを選定する部分である。そのために、転送データ選定部３６は、ストレージ装置２０に対してデータリストを要求する。このデータリストは、図２に示したストレージ装置２０のデータベース２４ａの内容と略同様であり、属性項目が各動画データ毎に示された情報である。そして、転送データ選定部３６は、ストレージ装置２０から受信したデータリストを参照して、所定の選定条件に基づいて移動端末３０に転送させる動画データを選定する。
【００２８】
その選定条件としては、例えば、
（ａ）ユーザにより転送予約されている動画データであること
（ｂ）ユーザが視聴した動画データの履歴情報に基づいて決定したユーザの嗜好に合う動画データであること
（ｃ）作成日時が最近である動画データであること
（ｄ）カテゴリがドラマ等のシリーズものの動画データである場合に、その動画データの前回の動画データをユーザが視聴していること
（ｅ）移動端末３０の格納部４６の空き容量よりも小さい動画データであること
（ｆ）ユーザが宅内で視聴した動画データの続きとなる動画データであること
等がある。
【００２９】
そして、転送データ選定部３６は、このような選定条件を単一で若しくは組み合わせて用い、ストレージ装置２０に記憶された複数の動画データの中から、移動端末３０に転送させる動画データを選定する。
【００３０】
要求部３８は、転送決定部３４により動画データの転送が決定されたときに、転送データ選定部３６によって選定された動画データを特定する情報を含む転送要求を、ストレージ装置２０に対して送信する。
【００３１】
受信部４０は、ストレージ装置２０から送信される動画データを受信する部分である。また、この受信部４０は、受信した動画データを格納部４６のデータベース４６ａに追加する。
【００３２】
削除データ選定部４２は、移動端末３０の格納部４６に記憶されている複数の動画データの中から、削除する動画データを、所定の選定条件に基づいて選定する部分である。
【００３３】
その選定条件としては、例えば、
（ａ）ユーザが既に視聴した動画データであること
（ｂ）ユーザが一定期間視聴していない動画データであること
（ｃ）ストレージ装置から移動端末の格納部に、関連する新たな動画データ（いわゆる、最新版、訂正版、更新版等）が転送されたこと
（ｄ）ユーザが宅内で視聴し終わった動画データであること
等がある。
【００３４】
そして、削除データ選定部４２は、このような選定条件を単一で若しくは組み合わせて用い、移動端末３０の格納部４６に記憶された複数の動画データの中から削除する動画データを選定する。
【００３５】
削除部４４は、削除データ選定部４２によって選定された動画データを、所定のタイミング（ユーザが指示したタイミングや、所定時刻など）で削除する部分である。
【００３６】
以下、ストレージ装置２０から移動端末３０へ動画データが転送されるまでのフローを、図４に示したフロー図を参照しつつ説明する。
【００３７】
移動端末３０の判定部３２は、転送条件が成立するまで転送条件（移動端末３０が充電中であるか否か）の判定を繰り返している（ステップ１０）。そして、判定部３２により転送条件が満たされていると判定されると、転送決定部３４がストレージ装置２０からの動画データの転送を決定すると共に（ステップ１２）、転送データ選定部３６によってストレージ装置２０から移動端末３０へ転送させる動画データが選定される。
【００３８】
具体的には、転送データ選定部３６がストレージ装置２０に対してデータリストの要求を送信し（ステップ１４）、ストレージ装置２０の通信部２２が、その要求を受信すると共に（ステップ１６）、格納部２４に記憶されている動画データのデータリストを移動端末３０に送信する（ステップ１８）。そして、転送データ選定部３６は、ストレージ装置２０から送られてきたデータリストを受信して（ステップ２０）、そのデータリストを参照しつつ選定条件に合う動画データを選定する（ステップ２２）。
【００３９】
以上のようにして、転送データ選定部３６により、ストレージ装置２０から移動端末３０へ転送させる動画データが選定されると、その動画データを特定する情報を含む転送要求をストレージ装置２０に対して送信する（ステップ２４）。
【００４０】
なお、移動端末３０からストレージ装置２０への転送要求に先立ち、移動端末３０から以下に示すような情報をストレージ装置２０に送信してもよい。
（１）移動体端末に格納されている全動画データのリスト
（２）移動端末で視聴済みの全動画データのリスト
（３）移動端末で視聴途中の動画データについては視聴を完了した箇所
（４）格納されている各動画データの転送日時
（５）格納されている各動画データの格納経過時間
（６）格納されている各動画データのユーザ評価（ランク付け、嗜好データ等）
【００４１】
ストレージ装置２０は、移動端末３０からの転送要求を通信部２２によって受信すると（ステップ２６）、その転送要求に基づき、転送データ選定部３６によって選定された動画データを格納部２４のデータベース２４ａから抽出すると共に（ステップ２８）、その動画データを移動端末３０に対して送信する（ステップ３０）。
【００４２】
そして、ストレージ装置２０から送られてきた動画データを、移動端末３０の受信部４０により受信することで（ステップ３２）、動画データの転送処理が完了する。なお、ストレージ装置２０から受信した動画データは、受信部４０により、格納部４６のデータベース４６ａに適宜追加される。
【００４３】
以上で詳細に説明したように、通信システム１０においては、所定の転送条件が満たされると、移動端末３０の転送決定部３４が、ストレージ装置２０からの動画データの転送を決定する。そのため、動画データの転送に際して、転送のための判断や特定の操作をユーザに求めることがない。つまり、ユーザに特に意識させることなく、ストレージ装置２０から移動端末３０への動画データの転送がおこなわれる。従って、通信システム１０によれば、ユーザの不注意により動画データを移動端末３０に転送し忘れる事態（すなわち、転送ミス）を未然に防ぐことができる。
【００４４】
なお、ストレージ装置２０は一般に屋内に設置されることが多いが、移動端末３０がストレージ装置２０に対して転送要求をするタイミングは、移動端末３０がストレージ装置２０と同じ屋内に位置するときでも屋外に位置するときでもどちらでもよい。移動端末３０がストレージ装置２０と同じ屋内に位置する場合には近距離無線（近距離無線ＬＡＮ等）の通信が利用され、移動端末３０が屋外に位置する場合には広域無線（広域無線ＬＡＮ、ＷＣＤＭＡ、ＷＭＡＸ等）の通信が利用される。移動端末３０が屋外に位置するときに転送要求やデータ転送（すなわち、ダウンロード）をおこなうことで、移動端末３０のユーザは転送のためにストレージ装置２０が設置された場所まで移動端末３０を運ぶ必要がなくなり、より容易且つ簡便にデータ転送をおこなうことができる。
【００４５】
また、ストレージ装置２０に格納されて移動端末３０に転送されるデータは、デジタルコンテンツのデータであれば、動画データに限らず、その他のデジタルコンテンツ（例えば、画像データ、音楽データ等）であってもよい。
【００４６】
なお、上述した実施形態では、転送条件として「移動端末３０が充電中であるか否か」を例に説明したが、以下に示すような他の転送条件に適宜変更することもできる。
【００４７】
すなわち、転送条件として、例えば、
（ａ）予めユーザによって設定された所定の時刻になったこと
（ｂ）移動端末の処理や通信の履歴に基づいて決定した使用頻度の低い時間帯になったこと
（ｃ）移動端末がおこなった所定の処理から一定時間が経過したこと
（ｄ）移動端末において所定の処理が一定時間ないこと
（ｅ）通信が一定時間ないこと
（ｆ）ストレージ装置と移動端末との間の通信が確立したこと
（ｇ）移動端末がストレージ装置から所定の情報を受信したこと
等がある。
【００４８】
転送決定部３４は、必要に応じて、このような転送条件を単一で若しくは組み合わせて用いることができる。なお、（ｆ）の通信の確立については、ＭＡＣアドレス、ＳＳＩＤ、ＩＰアドレス、ＧＷアドレス、ＤＮＳアドレス等を利用して判定することができる。また、（ｆ）の通信にＤＬＮＡ技術（Digital Living Network Alliance）やＵＰｎＰ技術（Universal Plug and Play）を採用することも可能である。この場合には、事前に登録したＤＬＮＡネットワークや宅内ＬＡＮに移動端末が通信接続したときに、ストレージ装置と移動端末との間の通信が確立する。
【００４９】
次に、移動端末３０の格納部４６に記憶されている動画データを削除するフローを、図５に示したフロー図を参照しつつ説明する。
【００５０】
移動端末３０は、所定のタイミング（例えば、図４におけるＡ部分）で、格納部４６に記憶している動画データの削除をおこなう。削除がおこなわれる場合には（ステップ４０）、まず、削除データ選定部４２により削除する動画データを選定する（ステップ４２）。そして、削除部４４が、削除データ選定部４２によって選定された動画データを、格納部４６から選択的に削除する（ステップ４４）。
【００５１】
このようにして格納部４６の動画データの削除がおこなわれるため、削除のための判断や特定の操作をユーザに求めることなく、選定条件に合致した動画データだけを格納部４６から削除することができる。
【００５２】
本発明は上記実施形態に限定されるものではなく、様々な変形が可能である。例えば、移動端末は、携帯電話機に限定されず、ＰＤＡや携帯ゲーム機、ノートパソコン等であってもよい。また、ストレージ装置は、ハードディスク搭載のものに限定されず、動画データを記憶することができる大容量記憶装置であればよい。さらに、無線通信の方式は、無線ＬＡＮに限定されず、その他の方式のものであってもよい。ストレージ装置や移動端末のデータベースの項目についても、必要に応じて、適宜変更及び増減することができる。
【００５３】
また、上述した実施形態では、ストレージ装置として、無線通信機能を有する大容量記録装置を例に説明したが、ストレージ装置は、別体である無線基地局と大容量記録装置（例えば、ストレージサーバ）とを含む複数の装置からなるものであってもよい。この場合には、上記無線基地局と大容量記録装置とは宅内ＬＡＮで接続される。このような宅内ＬＡＮには、公知の通信技術（イーサネット（登録商標）、ｂｌｕｅｔｏｏｔｈ、ＵＷＢ、ＷＬＡＮ等）を利用することができる。
【図面の簡単な説明】
【００５４】
【図１】本発明の実施形態に係る通信システムのブロック構成図である。
【図２】図１に示したストレージ装置に記憶された動画データのデータベースを示した図である。
【図３】図１に示した移動端末に記憶された動画データのデータベースを示した図である。
【図４】ストレージ装置から移動端末へ動画データが転送されるまでのフローを示したフロー図である。
【図５】移動端末の格納部に記憶されている動画データを削除するフローを示したフロー図である。
【符号の説明】
【００５５】
１０…通信システム、２０…ストレージ装置、３０…移動端末、３２…判定部、３４…転送決定部、３６…転送データ選定部、３８…要求部、４０…受信部、４２…削除データ選定部、４４…削除部、４６…格納部。
【図１】
2007193777.tif 000003
【図２】
2007193777.tif 000004
【図３】
2007193777.tif 000005
【図４】
2007193777.tif 000006
【図５】
2007193777.tif 000007